(57)【要約】  ペットフード供給装置は、供給器(10)、外側ケース(99)、ペットフード容器(97)、傾斜案内部(61)、駆動装置、および、供給吐出部(20)を含む。上記供給器は、シャフト(11)、供給ディスク(12)および攪拌器(30)を含む。上記供給ディスクは頂部および底部層(14、16)を含む。上記供給ディスクの上記頂部層は、頂面上に一つ以上の隆起部(18)を含む。上記ペットフード供給器の上記攪拌器は上記供給ディスクの上記底部層の第1縁部(53)から延出された第1フラップ(50)を含み、且つ、上記第1フラップは水平面の下方で下向きに屈曲される。上記攪拌器は、内側ケース(70)と、上記供給ディスクの下方に隣接する弾性ストリング部材(32)とを含み得る。上記頂部および底部層により画成される弧状凹所の角度は、0°から180°まで変化する。【選択図】図１
2008531015.tif 000002
【特許請求の範囲】
【請求項１】
ａ）シャフトと、供給ディスクと、詰まりを起こしたペットフード粒子を攪拌する攪拌器とを備えるペットフード供給器と、
ｂ）前記ペットフード供給器を収容する外側ケースとを備え、
前記供給ディスクは頂部層および底部層を備え、
前記供給ディスクの前記頂部層および前記底部層は隣接して位置され、
前記頂部層は頂部切欠部分を備えると共に前記底部層は底部切欠部分を備え、
前記頂部切欠部分および前記底部切欠部分により形成された開口の面積は調節可能であり、
前記供給ディスクの前記頂部層は頂面上に一つ以上の隆起部を備える、
自動式ペットフード供給装置。
【請求項２】
前記頂部層および前記底部層は実質的に半円形状を有し、
前記頂部層及び前記底部層の各々は第1縁部および第2縁部を備え、
前記頂部層の第2縁部および前記底部層の第1縁部により画成される弧状凹所の角度は0°から180°まで変化する、請求項１に記載の自動式ペットフード供給装置。
【請求項３】
前記ペットフード供給器の前記攪拌器は、前記供給ディスクの前記底部層の第1縁部から延出された第1フラップを有し、
前記第1フラップは水平面の下方で下向きに屈曲される、請求項２に記載の自動式ペットフード供給装置。
【請求項４】
前記攪拌器は可撓性を有する材料で作成される、請求項３に記載の自動式ペットフード供給装置。
【請求項５】
前記ペットフード供給器の前記シャフトは、円筒状部分と、ストッパリング部分と、接続円筒部分とを備え、
前記シャフトは、前記供給ディスクの前記頂部層に対して堅固に固定されると共に、前記供給ディスクの前記底部層に対して所定の摩擦力を以て係合され、
前記ストッパリング部分は前記円筒状部分に沿う所定位置に固定されることで、前記供給ディスクの前記頂部層および前記底部層を所定位置に保持し、
前記接続円筒部分は、第1端部および第2端部を含むと共に、前記円筒状部分に対して固定され、
前記接続円筒部分は、第2端部にて倒立Ｌ形状スリットを備える、請求項２に記載の自動式ペットフード供給装置。
【請求項６】
前記接続円筒部分の第2端部は駆動装置に対して係合される、請求項５に記載の自動式ペットフード供給装置。
【請求項７】
前記円筒状部分は外部螺条を備え、
前記ストッパリング部分および前記接続円筒部分は、前記円筒状部分の外部螺条に適合する内部螺条を備える、請求項５に記載の自動式ペットフード供給装置。
【請求項８】
前記供給ディスクの前記頂部層の第2縁部は、水平面の下方で下向きに屈曲される第2フラップを備える、請求項２に記載の自動式ペットフード供給装置。
【請求項９】
前記ペットフード供給器の前記攪拌器はストリング部材を有し、
前記ペットフード供給器は内側ケースを更に備え、
前記ストリング部材は前記ペットフード供給器の前記内側ケースの上側周縁部上に配備された溝同士の間に張りわたる、請求項１に記載の自動式ペットフード供給装置。
【請求項１０】
前記攪拌器は高弾性を有する材料で作成される、請求項９に記載の自動式ペットフード供給装置。
【請求項１１】
前記ペットフード供給器の前記シャフトは、ヘッド部分と、円筒状部分と、部分的に平坦化された末尾部分とを備え、
前記シャフトは、前記供給ディスクの前記頂部層に対して堅固に固定され、且つ、前記供給ディスクの前記底部層に対して所定の摩擦力を以て係合される、請求項９に記載の自動式ペットフード供給装置。
【請求項１２】
前記頂部層は実質的に半円形状を有すると共に前記底部層は切欠部分を備え、
前記頂部層及び前記底部層の各々は開口の第1縁部および第2縁部を備え、
前記頂部層の第2縁部および前記底部層の第1縁部により画成される弧状凹所の角度は0°から180°まで変化する、請求項９に記載の自動式ペットフード供給装置。
【請求項１３】
ａ）頂端部と底端部とを備えるペットフード容器と、
ｂ）傾斜案内部と、
ｃ）前記ペットフード供給器に対して動力供給する駆動装置と、
ｄ）前記供給ディスクの底部により形成されたスペースからのペットフードを導く一つ以上の供給吐出部とを更に有する、請求項１に記載の自動式ペットフード供給装置。
【請求項１４】
前記ペットフード供給器の前記傾斜案内部は、前記供給吐出部に向かう所定角度の下り勾配を有する、請求項１３に記載の自動式ペットフード供給装置。
【請求項１５】
前記傾斜案内部は前記外側ケースと一体的に形成される、請求項１４に記載の自動式ペットフード供給装置。
【請求項１６】
前記供給ディスクの前記頂部層上の前記隆起部は、径方向であり且つ上方に突出する、請求項１に記載の自動式ペットフード供給装置。
【請求項１７】
径方向の前記隆起部は、前記供給ディスクの回転方向に対して傾斜された二等辺三角形または鋸歯の断面形状を有する、請求項１６に記載の自動式ペットフード供給装置。
【請求項１８】
前記ペットフード供給装置の底部の縁部に沿う複数の支持脚部を更に有する、請求項１に記載の自動式ペットフード供給装置。
【請求項１９】
ペットフード容器は前記外側ケースの頂部に対して着脱可能に受容される、請求項１に記載の自動式ペットフード供給装置。
【発明の詳細な説明】
【技術分野】
【０００１】
本発明は、改良された自動式ペットフード供給装置に関する。より詳細には本発明は、ペットフードを供給する上で当該装置が詰まることを防止する自動式ペットフード供給装置に関する。
【背景技術】
【０００２】
本発明の発明者による関連米国特許出願第10/620,662号は言及したことにより、本明細書中に完全に示された如く本開示中に援用される。
【０００３】
先行技術のペットフード供給器は、他の多くの問題の中でも詰まりという深刻な問題がある。該供給器は自動式であると仮定されることから、詰まりが生じたペットフード供給装置はまさに、ペットと、該装置を信頼して２〜３日の旅行をしているペットの飼い主とに対する災難である。
【０００４】
ペットフードが通される開口と比較して該ペットフードの粒体が小寸であるという事実は、ペットフード供給装置の設計者により意図された円滑な流れを保証するものでない。ペットフード粒子と、容器の内壁または上記開口の縁部との間、更にはフード粒子同士の間における相互作用によると、粒状媒体の多くの複雑な挙動が引き起こされるが、これは非線形力学のひとつの大きな研究課題である。粒状の粒子は、個々の粒子のサイズおよび形状の如き一定の条件下で液体のように挙動し得ると共に、実質的に中実のブロックへと押し固められ得る。
【０００５】
故に世界中で増え続けるペットを考慮すると、改良されたペットフード供給装置に対する要望が以前から存在している。本発明は、上記問題を解決してこれまでの要望を満足するものである。
【発明の開示】
【発明が解決しようとする課題】
【０００６】
本発明は、先行技術の不都合を解消する自動式ペットフード供給装置を提供することを企図している。
【０００７】
故に本発明の目的は、ペットフードによる当該供給器の詰まりを防止する自動式ペットフード供給装置を提供するに在る。
【課題を解決するための手段】
【０００８】
上記目的を達成するために、自動式ペットフード供給装置は、ペットフード供給器と、各部材を収容する外側ケースとを含む。
【０００９】
上記ペットフード供給器は、シャフトと、供給ディスクと、詰まりを起こしたペットフード粒子を攪拌する攪拌器とを含む。上記供給ディスクの底部により形成されたスペースからのペットフードを、供給吐出部が導く。
【００１０】
上記供給ディスクは、頂部層および底部層を含む。また、上記供給ディスクの上記頂部および底部層は隣接して位置される。上記頂部層は頂部切欠部分を備えると共に上記底部層は底部切欠部分を備える。上記頂部および底部切欠部分により形成された開口の面積は調節可能である。上記供給ディスクの上記頂部層は頂面上に一つ以上の隆起部を備える。
【００１１】
本発明の実施形態において、上記ペットフード供給器の上記攪拌器は、上記供給ディスクの上記底部層の第1縁部から延出された第1フラップを含み、且つ、該フラップは水平面の下方で下向きに屈曲される。
【００１２】
上記頂部および底部層は実質的に半円形状を有し、且つ、該層の各々は第1縁部および第2縁部を含む。上記頂部層の第2縁部および上記底部層の第1縁部により画成される弧状凹所の角度は0°から180°まで変化する。
【００１３】
上記攪拌器は可撓性を有する材料で作成される。
【００１４】
上記ペットフード供給器の上記シャフトは、円筒状部分と、ストッパリング部分と、接続円筒部分とを含む。上記シャフトは、上記供給ディスクの上記頂部層に対して堅固に固定されると共に、上記供給ディスクの上記底部層に対して所定の摩擦力を以て係合される。上記ストッパリング部分は上記円筒状部分に沿う所定位置に固定されることで、上記供給ディスクの上記頂部および底部層を所定位置に保持する。上記接続円筒部分は、第1端部および第2端部を備えると共に、上記円筒状部分に対して固定される。また上記接続円筒部分は、第2端部にて倒立Ｌ形状スリットを含む。上記接続円筒部分の第2端部は駆動装置に対して係合される。上記円筒状部分は外部螺条（雄ネジ）を含み、且つ、上記ストッパリング部分および上記接続円筒部分は、上記円筒状部分の外部螺条に適合する内部螺条（雌ネジ）を含む。
【００１５】
上記供給ディスクの上記頂部層の第2縁部は、水平面の下方で下向きに屈曲されてペットフードの付加的な攪拌を提供する第2フラップを含み得る。
【００１６】
本発明の別実施形態において、上記ペットフード供給器の上記攪拌器はストリング部材を含む。上記ペットフード供給装置は内側ケースを更に含む。上記ストリング部材は、上記ペットフード供給器の上記内側ケースの上側周縁部上に配備された溝同士の間に張りわたる。上記攪拌器は高弾性を有する材料で作成される。
【００１７】
上記ペットフード供給器の上記シャフトは、ヘッド部分と、円筒状部分と、部分的に平坦化された末尾部分とを含むと共に、該シャフトは、上記供給ディスクの上記頂部層に対して堅固に固定され、且つ、上記供給ディスクの上記底部層に対して所定の摩擦力を以て係合される。
【００１８】
上記頂部層は実質的に半円形状を有すると共に上記底部層は切欠部分を備え、且つ、該層の各々は開口の第1縁部および第2縁部を含む。上記頂部層の第2縁部および上記底部層の第1縁部により画成される弧状凹所の角度は0°から180°まで変化する。
【００１９】
上記実施形態の各々において上記自動式ペットフード供給装置は更に、ペットフード容器と、傾斜案内部と、上記ペットフード供給器に対して動力供給する駆動装置と、一つ以上の供給吐出部とを含む。
【００２０】
上記ペットフード供給器の上記傾斜案内部は、上記供給吐出部に向かう所定角度の下り勾配を有すると共に、上記ペットフード容器の外側ケースと一体的に形成される。
【００２１】
上記供給ディスクの上記頂部層上の隆起部は、径方向であり且つ上方に突出する。該径方向隆起部は、上記供給ディスクの回転方向に対して傾斜された二等辺三角形または鋸歯の断面形状を有する。
【００２２】
上記自動式ペットフード供給装置は、該ペットフード供給装置の底部の縁部に沿う転倒を防止するために十分に長寸である複数の水平支持脚部を更に含む。
【００２３】
本発明は簡潔に要約されたが、以下の図面、詳細な説明および添付の各請求項によれば本発明は更に十分に理解され得る。
【００２４】
本発明のこれらのおよび他の特徴、見地および利点は添付図面を参照すれば更に良好に理解されよう。
【発明を実施するための最良の形態】
【００２５】
図１から図２０は、本発明の第１実施形態を示している。
【００２６】
本発明の第１実施形態において自動式ペットフード供給装置100は、ペットフード供給器10と、各部材を収容する外側ケース99とを含んでいる。
【００２７】
ペットフード供給器10は、シャフト11と、供給ディスク12と、詰まりを起こしたペットフード粒子を攪拌する攪拌器30(図８参照)とを含む。供給ディスク12の底部により形成されたスペース60からのペットフードを、供給吐出部20が導く。
【００２８】
図１から図４に示された如く、供給ディスク12は頂部層14および底部層16を含む。また供給ディスク12の頂部および底部層14、16は、隣接して位置される。頂部層14は頂部切欠部分56を備えると共に、底部層16は底部切欠部分57を備える。頂部および底部切欠部分56、57により形成される開口もしくは弧状凹所62の面積は、調節可能である。供給ディスク12の頂部層14は、頂面に一つ以上の隆起部18を含む。
【００２９】
図５から図１０に示された如く頂部および底部層14、16は実質的に半円形状を有すると共に、層14、16の各々は図７および図８に示された如く第1縁部51、52および第2縁部53、54を含む。ペットフード供給器12の攪拌器30は供給ディスク12の底部層16の第1縁部53から延出された第1フラップ50を含み、且つ、該第1フラップ50は水平面の下方で下向きに屈曲される。
【００３０】
頂部層14の第2縁部52および底部層16の第1縁部53により画成される弧状凹所62の角度は、0°(図１１参照)から180°(図１２参照)まで変化する。
【００３１】
第1フラップ50は、可撓性を有する材料で作成される。
【００３２】
図１４に示された如くペットフード供給器10のシャフト11は、円筒状部分13、ストッパリング部分15および接続円筒部分17を含む。シャフト11は、供給ディスク12の頂部層14に対して堅固に固定されると共に、供給ディスク12の底部層16に対して所定の摩擦力を以て係合される。弧状凹所／開口62の角度／サイズは、調節され得る。ストッパリング部分15は円筒状部分13に沿う所定位置に固定されることで、供給ディスク12の頂部および底部層14、16を所定位置に保持する。接続円筒部分17は、第1端部41および第2端部42を含むと共に、円筒状部分13に対して固定される。また接続円筒部分17は、第2端部42にて倒立Ｌ形状スリット19も含む。接続円筒部分17の第2端部42は、(不図示の)駆動装置に対して係合される。円筒状部分13は外部螺条43を含み、且つ、ストッパリング部分15および接続円筒部分17は、円筒状部分13の外部螺条43に適合する(不図示の)内部螺条を含む。
【００３３】
代替的に、供給ディスク12の頂部層14の第2縁部52は、水平面の下方で下向きに屈曲されることでペットフードの付加的な攪拌を提供する第2フラップ55(図１３を参照)を含み得る。
【００３４】
供給ディスク12の底部層16は中心部の回りに、切欠き、好適には環状スリット31を含み、該環状スリット31の範囲は底部層16の屈曲部分すなわちフラップ50に対応する。攪拌器30は、可撓性を有する材料で作成される。
【００３５】
図１７および図１８に示された如く、ペットフード供給器12のシャフト11は、傾斜案内部61の中央に配備された孔64を通り摩擦なしで傾斜案内部と係合する。
【００３６】
図２１から図４１は、本発明の第２実施形態を示している。
【００３７】
本発明の第２実施形態において、ペットフード供給器10'の攪拌器30'はストリング部材32を含んでいる。図３６および図４０に示された如く、供給装置200は内側ケース70を含む。ストリング部材32は、ペットフード供給器10'の内側ケース70の上側周縁部72上に配備された溝71同士の間に張りわたる。攪拌器30'は、高弾性を有する材料で作成される。
【００３８】
図２５から図２９に示された如く、ペットフード供給器10'のシャフト11'は、ヘッド部分15'、円筒状部分13'、部分的に平坦化された末尾部分17'を含むと共に、供給ディスク12'の頂部層14'に対して堅固に固定され、且つ、供給ディスク12'の底部層16'に対して所定の摩擦力を以て係合される。
【００３９】
頂部層14'は実質的に半円形状を有すると共に底部層16'は切欠部分62'を含み、且つ、層14'、16'の各々は第1縁部51'、53'および第2縁部52'、54'を含む。頂部層14'の第2縁部52'および底部層16'の第1縁部53'により画成される弧状凹所62'の角度は、0°(図３４参照)から180°(図３５参照)まで変化する。
【００４０】
供給ディスク12'の中心に関して２つの溝71により形成された開口角度は90°〜180°であり、各溝71同士の間に張りわたる攪拌器30'は供給ディスク12'の弧状凹所62'の下方に位置される。ストリング部材32は、両端部におけるストッパ33を更に含む。
【００４１】
上記実施形態の各々において自動式ペットフード供給装置100、200は、ペットフード容器97と、傾斜案内部61と、ペットフード供給装置100、200に対して動力供給する(不図示の)駆動装置と、一つ以上の供給吐出部20とを更に含む。図４７に示された如く、ペットフード容器97は、外側ケース99の頂部98に対して着脱可能に受容される。
【００４２】
ペットフード供給器10の傾斜案内部61は、供給吐出部20に向かう所定角度の下り勾配を有すると共に、外側ケース99と一体的に形成される。
【００４３】
供給ディスク12、12'の頂部層14、14'上の隆起部18、18'は、径方向であり且つ上方に突出する。径方向隆起部18、18'は、供給ディスク12、12'の回転方向に従い傾斜された二等辺三角形18または鋸歯18'の断面形状を有する。
【００４４】
図４３から図４６は、支持脚部95を備えたペットフード供給装置を示している。該ペットフード供給装置300は、該ペットフード供給装置300の底部に沿う転倒を防止するために十分に長寸である複数の支持脚部95を更に含む。水平脚部95はペットフード供給装置300の安定性を相当に高めることで、犬の乱暴な動きにも関わらずに該装置の転倒を防止する。
【００４５】
上記駆動装置は、バッテリにより又は壁のコンセントから給電され得る電気モータを含む。
【００４６】
上記駆動装置は、ペットフード供給器12、12'のシャフト11、11'と係合して該シャフトを駆動する。
【００４７】
本発明に係る自動式ペットフード供給装置の試作品は、種々の形式の市販のドッグフードにより試験された。平均して上記装置は、３，８６０杯のドッグフードを供給する間に、ペットフード容器の口部の回りにおいて４回だけ閉塞を起こした。中型(16.3〜22.7kg(36〜50ポンド))の犬が一日に約２杯のドッグフードを消費することを考慮すると、上記供給装置は1.5年毎に一度だけ閉塞する。また上記実験における４回の閉塞は直接的には、上記ペットフード供給器ではなくペットフード容器の内側にて自身の襞状(ひだじょう)縁部の回りのペットフード粒体を集めるセロハン（登録商標）テープ・ライニングに起因していた。故に本発明者は、量産モデルによる遙かに良い結果を期待している。
【００４８】
本発明は相当に詳細に示されて説明されると共に添付の各請求項において記述されたが、上述の構成を転用することにより他の形態が可能である。故に本発明の有効範囲は、上記に特定された詳細により限定されるべきでない。
【図面の簡単な説明】
【００４９】
【図１】本発明に係るペットフード供給装置の第１実施形態の斜視図である。
【図２】ペットフード供給装置の側面図である。
【図３】ペットフード供給装置の前面図である。
【図４】ペットフード供給装置の平面図である。
【図５】ペットフード供給ディスクの頂部層の平面図である。
【図６】ペットフード供給ディスクの頂部層の側面図である。
【図７】ペットフード供給ディスクの頂部層の斜視図である。
【図８】ペットフード供給ディスクの底部層の斜視図である。
【図９】ペットフード供給ディスクの底部層の平面図である。
【図１０】ペットフード供給ディスクの底部層の側面図である。
【図１１】弧状凹所が閉じられたペットフード供給器の平面図である。
【図１２】弧状凹所が全開されたペットフード供給器の平面図である。
【図１３】第2フラップを備えた供給ディスクの頂部層の斜視図である。
【図１４】ペットフード供給器のシャフトの斜視図である。
【図１５】ペットフード供給器のシャフトの平面図である。
【図１６】ペットフード供給器のシャフトの側面図である。
【図１７】外側ケースの斜視図である。
【図１８】外側ケースの前面図である。
【図１９】外側ケースの側面図である。
【図２０】外側ケースの平面図である。
【図２１】本発明に係るペットフード供給装置の第２実施形態の斜視図である。
【図２２】ペットフード供給装置の前面図である。
【図２３】ペットフード供給装置の平面図である。
【図２４】ペットフード供給装置の側面図である。
【図２５】ペットフード供給器のシャフトの斜視図である。
【図２６】シャフトの平面図である。
【図２７】シャフトの側面図である。
【図２８】ペットフード供給ディスクの頂部層の斜視図である。
【図２９】ペットフード供給ディスクの頂部層の平面図である。
【図３０】ペットフード供給ディスクの頂部層の側面図である。
【図３１】ペットフード供給ディスクの底部層の斜視図である。
【図３２】ペットフード供給ディスクの底部層の平面図である。
【図３３】ペットフード供給ディスクの底部層の側面図である。
【図３４】弧状凹所が閉じられたペットフード供給器の平面図である。
【図３５】弧状凹所が全開されたペットフード供給器の平面図である。
【図３６】第２実施形態の外側ケースの斜視図である。
【図３７】第２実施形態の外側ケースの前面図である。
【図３８】第２実施形態の外側ケースの平面図である。
【図３９】第２実施形態の外側ケースの側面図である。
【図４０】第２実施形態の攪拌器の斜視図である。
【図４１】第２実施形態の攪拌器の前面図である。
【図４２】第２実施形態の攪拌器の側面図である。
【図４３】支持脚部を備えたペットフード供給装置の外側ケースの斜視図である。
【図４４】図４３の前面図である。
【図４５】図４３の平面図である。
【図４６】図４３の側面図である。
【図４７】ペットフード容器が設置されたペットフード供給装置の側面図である。
【図１】
2008531015.tif 000003
【図２】
2008531015.tif 000004
【図３】
2008531015.tif 000005
【図４】
2008531015.tif 000006
【図５】
2008531015.tif 000007
【図６】
2008531015.tif 000008
【図７】
2008531015.tif 000009
【図８】
2008531015.tif 000010
【図９】
2008531015.tif 000011
【図１０】
2008531015.tif 000012
【図１１】
2008531015.tif 000013
【図１２】
2008531015.tif 000014
【図１３】
2008531015.tif 000015
【図１４】
2008531015.tif 000016
【図１５】
2008531015.tif 000017
【図１６】
2008531015.tif 000018
【図１７】
2008531015.tif 000019
【図１８】
2008531015.tif 000020
【図１９】
2008531015.tif 000021
【図２０】
2008531015.tif 000022
【図２１】
2008531015.tif 000023
【図２２】
2008531015.tif 000024
【図２３】
2008531015.tif 000025
【図２４】
2008531015.tif 000026
【図２５】
2008531015.tif 000027
【図２６】
2008531015.tif 000028
【図２７】
2008531015.tif 000029
【図２８】
2008531015.tif 000030
【図２９】
2008531015.tif 000031
【図３０】
2008531015.tif 000032
【図３１】
2008531015.tif 000033
【図３２】
2008531015.tif 000034
【図３３】
2008531015.tif 000035
【図３４】
2008531015.tif 000036
【図３５】
2008531015.tif 000037
【図３６】
2008531015.tif 000038
【図３７】
2008531015.tif 000039
【図３８】
2008531015.tif 000040
【図３９】
2008531015.tif 000041
【図４０】
2008531015.tif 000042
【図４１】
2008531015.tif 000043
【図４２】
2008531015.tif 000044
【図４３】
2008531015.tif 000045
【図４４】
2008531015.tif 000046
【図４５】
2008531015.tif 000047
【図４６】
2008531015.tif 000048
【図４７】
2008531015.tif 000049
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
ａ）シャフトと、該シャフトに取付けられた供給ディスクと、詰まりを起こしたペットフード粒子を攪拌する可撓性の攪拌器とを備えるペットフード供給器と、
ｂ）前記ペットフード供給器を収容する外側ケースとを備え、
前記供給ディスクは頂部層および底部層を備え、
前記供給ディスクの前記頂部層および前記底部層は隣接して位置され、
前記頂部層は頂部切欠部分を有すると共に前記底部層は底部切欠部分を有し、
前記頂部切欠部分および前記底部切欠部分は相互に関して調節可能とされることで該頂部切欠部分および該底部切欠部分により形成される領域を調節し、
前記供給ディスクの前記頂部層は頂面上に一つ以上の隆起部を備え、
前記頂部層および前記底部層は実質的に半円形状を有し、前記頂部層及び前記底部層の各々は第1縁部および第2縁部を備え、前記頂部層の第2縁部および前記底部層の第1縁部により画成される弧状凹所の角度は0°から180°まで変化する、
自動式ペットフード供給装置。
【請求項２】
前記ペットフード供給器の前記攪拌器は、前記供給ディスクの前記底部層の第1縁部から延出された第1フラップを有し、
前記第1フラップは水平面の下方で下向きに屈曲される、請求項１に記載の自動式ペットフード供給装置。
【請求項３】
前記ペットフード供給器の前記シャフトは、円筒状部分と、ストッパリング部分と、接続円筒部分とを備え、
前記シャフトは、前記供給ディスクの前記頂部層に対して堅固に固定されると共に、前記供給ディスクの前記底部層に対して所定の摩擦力を以て係合され、
前記ストッパリング部分は前記円筒状部分に沿う所定位置に固定されることで、前記供給ディスクの前記頂部層および前記底部層を所定位置に保持し、
前記接続円筒部分は、第1端部および第2端部を含むと共に、前記円筒状部分に対して固定され、
前記接続円筒部分は、第2端部にて倒立Ｌ形状スリットを備える、請求項１に記載の自動式ペットフード供給装置。
【請求項４】
前記接続円筒部分の第2端部は駆動装置に対して係合される、請求項３に記載の自動式ペットフード供給装置。
【請求項５】
前記円筒状部分は外部螺条を備え、
前記ストッパリング部分および前記接続円筒部分は、前記円筒状部分の外部螺条に適合する内部螺条を備える、請求項３に記載の自動式ペットフード供給装置。
【請求項６】
前記供給ディスクの前記頂部層の第2縁部は、水平面の下方で下向きに屈曲される第2フラップを備える、請求項１に記載の自動式ペットフード供給装置。
【請求項７】
前記ペットフード供給器の前記攪拌器はストリング部材を有し、
前記ペットフード供給器は内側ケースを更に備え、
前記ストリング部材は前記ペットフード供給器の前記内側ケースの上側周縁部上に配備された溝同士の間に張りわたる、請求項１に記載の自動式ペットフード供給装置。
【請求項８】
前記攪拌器は高弾性を有する材料で作成される、請求項７に記載の自動式ペットフード供給装置。
【請求項９】
前記ペットフード供給器の前記シャフトは、ヘッド部分と、円筒状部分と、部分的に平坦化された末尾部分とを備え、
前記シャフトは、前記供給ディスクの前記頂部層に対して堅固に固定され、且つ、前記供給ディスクの前記底部層に対して所定の摩擦力を以て係合される、請求項７に記載の自動式ペットフード供給装置。
【請求項１０】
前記頂部層は実質的に半円形状を有すると共に前記底部層は底部切欠部分を備え、
前記頂部層及び前記底部層の各々は開口の第1縁部および第2縁部を備え、
前記頂部層の第2縁部および前記底部層の第1縁部により画成される弧状凹所の角度は0°から180°まで変化する、請求項７に記載の自動式ペットフード供給装置。
【請求項１１】
ａ）頂端部と底端部とを備えるペットフード容器と、
ｂ）傾斜案内部と、
ｃ）前記ペットフード供給器に対して動力供給する駆動装置と、
ｄ）前記供給ディスクの底部により形成されたスペースからのペットフードを導く一つ以上の供給吐出部とを更に有する、請求項１に記載の自動式ペットフード供給装置。
【請求項１２】
前記ペットフード供給器の前記傾斜案内部は、前記供給吐出部に向かう所定角度の下り勾配を有する、請求項１１に記載の自動式ペットフード供給装置。
【請求項１３】
前記傾斜案内部は前記外側ケースと一体的に形成される、請求項１２に記載の自動式ペットフード供給装置。
【請求項１４】
前記供給ディスクの前記頂部層上の前記隆起部は、径方向であり且つ上方に突出する、請求項１に記載の自動式ペットフード供給装置。
【請求項１５】
径方向の前記隆起部は、前記供給ディスクの回転方向に対して傾斜された二等辺三角形または鋸歯の断面形状を有する、請求項１４に記載の自動式ペットフード供給装置。
【請求項１６】
前記ペットフード供給装置の底部の縁部に沿う複数の支持脚部を更に有する、請求項１に記載の自動式ペットフード供給装置。
【請求項１７】
ペットフード容器は前記外側ケースの頂部に対して着脱可能に受容される、請求項１に記載の自動式ペットフード供給装置。
【国際調査報告】
2008531015.tif 000050
2008531015.tif 000051